(57)【要約】【課題】監視パケットの容量を大きくすることなく複数の被監視装置の状態を正確に監視する。【解決手段】フィールド監視装置４が、複数の被監視装置５ａ，５ｂのうち、収集周期が短い被監視装置５ａから収集された監視情報の変化の有無の情報を含む第１監視パケットと、収集周期が短い被監視装置５ａから収集された監視情報を含む第２監視パケットを生成し、監視サーバ２は、パケット生成部７から第１監視パケットを取得し、第１監視パケットに基づいて被監視装置５ａから収集された監視情報に変化があったか否かを判断し、監視情報に変化があった場合に第２監視パケットを取得する。【選択図】図１
2009105809.tif 000002
【特許請求の範囲】
【請求項１】
監視サーバと、電気通信回線を介して監視サーバと通信可能に接続する通信部と、複数の被監視装置から異なる収集周期で監視情報を収集し、所定期間内に収集された監視情報を用いて監視パケットを生成するパケット生成部とを有するフィールド監視装置とを備え、前記監視サーバが前記フィールド監視装置から前記監視パケットを所定周期毎に取得する監視システムであって、
前記パケット生成部は、前記複数の被監視装置のうち、前記収集周期が短い被監視装置から収集された監視情報の変化の有無の情報を含む第１監視パケットと、当該収集周期が短い被監視装置から収集された監視情報を含む第２監視パケットを生成し、
前記監視サーバは、前記フィールド監視装置から第１監視パケットを取得し、当該第１監視パケットに基づいて前記収集周期が短い被監視装置から収集された監視情報に変化があったか否かを判断し、当該監視情報に変化があった場合に前記第２監視パケットを取得すること
を特徴とする監視システム。
【請求項２】
請求項１に記載の監視システムにおいて、
前記第１監視パケットは前記収集周期が短い被監視装置以外の被監視装置から収集された監視情報を含むことを特徴とする監視システム。
【発明の詳細な説明】
【技術分野】
【０００１】
本発明は、複数の被監視装置から異なる周期で監視情報を収集する監視システムに関する。
【背景技術】
【０００２】
従来より、複数の被監視装置から異なる周期で接点情報（オン／オフ情報）を収集する監視システムが知られている。この監視システムでは、複数の被監視装置に接続されたフィールド監視装置が、異なる周期で各被監視装置の接点情報を収集し、所定期間内に収集された接点情報を用いて監視パケットを生成する。そして電気通信回線を介してフィールド監視装置に接続された監視サーバが、フィールド監視装置から監視パケットを所定周期毎に取得し、取得した監視パケットに基づいて各被監視装置のオン／オフ状態を監視する。
【特許文献１】特開平５−２２７５７２号公報
【特許文献２】特開２００６−１０１１７９号公報
【特許文献３】特開２０００−２６７８９２号公報
【発明の開示】
【発明が解決しようとする課題】
【０００３】
従来の監視システムでは、フィールド監視装置は、長い周期で収集された接点情報に短い周期で収集された接点情報を合成して監視パケットを生成する。より具体的には、いま図６（ａ）に示すような長い周期で収集される接点情報と短い周期で収集される接点情報がある場合、フィールド監視装置は、図６（ｂ）に示すように長い周期で収集された接点情報にその接点情報を収集したタイミング（図６（ａ）中実線矢印で示すタイミングＴ１，Ｔ２）における短い周期で収集された接点情報を合わせたり、図６（ｃ）に示すように長い周期で収集された接点情報にその周期内で短い周期で収集された全ての接点情報を合わせたりして監視パケットを生成する。ところが、図６（ｂ）に示す方式で監視パケットを生成した場合、短い周期で収集される接点情報が監視パケットを生成するタイミング以外のタイミング（例えば図６（ａ）中破線矢印で示すタイミングＴ３）で変化していてもその情報は監視パケットの内容に反映されず（いわゆるデータ落ち）、監視サーバは被監視装置の状態を正確に把握することができない。一方図６（ｃ）に示す方式で監視パケットを生成した場合には、監視サーバは被監視装置の状態を正確に把握することはできるが、監視パケットの容量が大きくなる。
【０００４】
本発明は、上記課題を解決するためになされたものであり、その目的は、監視パケットの容量を大きくすることなく被監視装置の状態を正確に把握することが可能な監視システムを提供することにある。
【課題を解決するための手段】
【０００５】
本発明に係る監視システムでは、フィールド監視装置が、複数の被監視装置のうち、収集周期が短い被監視装置から収集された監視情報の変化の有無の情報を含む第１監視パケットと、収集周期が短い被監視装置から収集された監視情報を含む第２監視パケットを生成し、監視サーバは、フィールド監視装置から第１監視パケットを取得し、第１監視パケットに基づいて収集周期が短い被監視装置から収集された監視情報に変化があったか否かを判断し、監視情報に変化があった場合に第２監視パケットを取得する。
【発明の効果】
【０００６】
本発明に係る監視システムによれば、短い収集周期で収集される監視情報の変化の有無を判断し、監視情報に変化が生じた際にその監視情報を取得するので、監視情報の収集周期に差がある場合であっても、監視パケットの容量を大きくすることなく被監視装置の状態を正確に把握できる。
【発明を実施するための最良の形態】
【０００７】
以下、図面を参照して、本発明の実施形態となる監視システムの構成について説明する。
【０００８】
〔監視システムの構成〕
本発明の実施形態となる監視システム１は、図１に示すように、監視サーバ２と、インターネットやＬＡＮ（Local Area Network）等の電気通信回線３を介して監視サーバ２に接続されたフィールド監視装置４と、フィールド監視装置４に接続された複数の被監視装置５ａ，５ｂとを備える。監視サーバ２は、汎用の情報処理装置により構成され、情報処理装置内部のＣＰＵ（Central Processing Unit）が予め記憶されたコンピュータプログラムを実行することにより後述する処理を実行する。フィールド監視装置４は、電気通信回線３を介して監視サーバ２と通信可能に接続する通信部６と、被監視装置５ａ，５ｂから異なる収集周期で監視情報を収集し、所定期間内に収集された監視情報を用いて監視パケットを生成するパケット生成部７を備える。なお本実施形態では、パケット生成部７は、図３のシーケンス図で示すように、被監視装置５ａ（被監視装置Ａ）の監視情報の収集周期（図３に示すプロセスＰ１）よりも長い収集周期（図３に示すプロセスＰ２）で被監視装置５ｂ（被監視装置Ｂ）の監視情報を収集する。また被監視装置５ａ，５ｂから収集する監視情報としては、温度，湿度，電流，電圧，オン／オフ値，内部時刻情報等を例示できる。
【０００９】
〔監視システムの動作〕
このような構成を有する監視システム１は、以下に示すように動作することにより被監視装置５ａ，５ｂの状態を監視する。すなわちこの監視システムでは、始めにパケット生成部７が、図４（ａ），（ｂ）に示すような、被監視装置５ａ，５ｂのうち、収集周期が長い被監視装置５ｂから収集された監視情報と収集周期が短い被監視装置５ａから収集された監視情報の変化の有無の情報とを含むパケットを第１監視パケットとして生成する。具体的には、図６（ａ）に示すタイミングＴ１で第１監視パケットを生成する場合、被監視装置５ｂの監視情報の収集周期の間に被監視装置５ａの監視情報に変化があったので、パケット生成部７は図４（ｂ）に示すような第１監視パケットを生成する。
【００１０】
一方、図６（ａ）に示すタイミングＴ２で第１監視パケットを生成する場合、被監視装置５ｂの監視情報の収集周期の間に被監視装置５ａの監視情報に変化がなかったので、パケット生成部７は図４（ａ）に示すような第１監視パケットを生成する。そして第１監視パケットが生成されると、通信部６は、監視サーバ２からのパケット取得要求に応じて、電気通信回線３を介して監視サーバ２に第１監視パケットを送信する（図３に示すプロセスＰ３）。このようにしてフィールド監視装置４は、収集周期が長い被監視装置５ｂから収集された監視情報を監視サーバ２に通知する際、被監視装置５ｂの監視情報の収集周期の間に収集周期が短い被監視装置５ａの監視情報に変化があったか否かを第１監視パケット内においてフラグで伝える。
【００１１】
次に監視サーバ２が、第１監視パケットの内容に基づいて収集周期が短い被監視装置５ａから収集された監視情報に変化があったか否かを判別する。そして判別の結果、図４（ａ）に示す第１監視パケットを取得した場合のように、被監視装置５ａから収集された監視情報に変化がない場合、監視サーバ２は、被監視装置５ａの状態は変化していないと判断し、収集周期が長い被監視装置５ｂから収集された監視情報に応じて被監視装置５ｂの監視処理を行う。一方、図４（ｂ）に示す第１監視パケットを取得した場合のように、被監視装置５ａから収集された監視情報に変化がある場合には、監視サーバ２は、第２監視パケットの取得要求をフィールド監視装置４に送信し、パケット生成部７は、第２監視パケットの取得要求に応じて、図５に示すような、被監視装置５ｂの監視情報の収集周期の間に被監視装置５ａから収集された監視情報（図６（ａ）参照）を含む第２監視パケットを生成する。そして通信部６は電気通信回線３を介して監視サーバ２に第２監視パケットを送信し、監視サーバ２は被監視装置５ａから収集された監視情報に応じて監視処理を行う（図３に示すプロセスＰ４）。
【００１２】
以上の説明から明らかなように、本発明の実施形態となる監視システム１では、パケット生成部７が、複数の被監視装置５ａ，５ｂのうち、収集周期が短い被監視装置５ａから収集された監視情報の変化の有無の情報を含む第１監視パケットと、収集周期が短い被監視装置５ａから収集された監視情報を含む第２監視パケットを生成し、監視サーバ２は、パケット生成部７から第１監視パケットを取得し、第１監視パケットに基づいて被監視装置５ａから収集された監視情報に変化があったか否かを判断し、監視情報に変化があった場合に第２監視パケットを取得する。すなわち、この監視システム１では、監視サーバ２が、第１監視パケットに基づき短い収集周期で収集される監視情報の変化の有無を判断し、監視情報に変化が生じた際にその監視情報を取得する。従って監視サーバ２は、監視情報の収集周期に差がある場合であっても、監視パケットの容量を大きくすることなく複数の被監視装置５ａ，５ｂの状態を正確に監視することができる。
【００１３】
以上、本発明者らによってなされた発明を適用した実施の形態について説明したが、この実施の形態による本発明の開示の一部をなす記述及び図面により本発明は限定されることはない。このように、本実施形態に基づいて当業者等によりなされる他の実施の形態、実施例及び運用技術等は全て本発明の範疇に含まれる。
【図面の簡単な説明】
【００１４】
【図１】本発明の実施形態となる監視システムの全体構成を示す模式図である。
【図２】図１に示すフィールド監視装置の内部構成を示すブロック図である。
【図３】被監視装置，フィールド監視装置，及び監視サーバとの間の信号の流れを示すシーケンス図である。
【図４】本発明の実施形態となる第１監視パケットの構成を示す模式図である。
【図５】本発明の実施形態となる第２監視パケットの構成を示す模式図である。
【図６】従来の監視システムにおける問題点を説明するためのパケットの構成を示す模式図である。
【符号の説明】
【００１５】
１：監視システム
２：監視サーバ
３：電気通信回線
４：フィールド監視装置
５ａ，５ｂ：被監視装置
６：通信部
７：パケット生成部
【図１】
2009105809.tif 000003
【図２】
2009105809.tif 000004
【図３】
2009105809.tif 000005
【図４】
2009105809.tif 000006
【図５】
2009105809.tif 000007
【図６】
2009105809.tif 000008